(57)【特許請求の範囲】
【請求項１】
建物ユニットの柱の下面と接触する一方の面と、
荷台の上面と接触する他方の面と、
前記一方の面と前記柱の下面とが接触する際、前記一方の面と前記柱の下面との面方向の相対位置を決定し固定する第１固定部と、
前記他方の面と前記荷台の上面とが接触する際、前記荷台に予め形成されている嵌合孔の面方向の位置と前記第１固定部が決定する前記柱の下面に予め形成されている孔の面方向の位置とが異なる位置になるように、前記他方の面と前記荷台の上面との面方向の相対位置を決定し固定する第２固定部と、
を備え、
前記第１固定部は、前記一方の面から立設し、前記柱に予め形成されている孔に挿入される位置決めピンであり、
前記第２固定部は、前記他方の面から開口され、トラック積載用ボルトが螺合されるボルト取付け孔であり、
前記第２固定部が複数存在する、
建物ユニット輸送用治具。
【請求項２】
前記複数の第２固定部が、荷台に載置される際の車幅方向に沿って配置されている、
請求項１に記載の建物ユニット輸送用治具。
【請求項３】
前記一方の面及び前記他方の面に平行な複数の層で構成されており、そのうち少なくとも１つの層が、弾性材料で形成されている、
請求項１又は請求項２に記載の建物ユニット輸送用治具。
【発明の詳細な説明】
【技術分野】
【０００１】
本発明は、建物ユニット輸送用治具及び建物ユニット輸送時の連結構造に関する。
【背景技術】
【０００２】
下記特許文献１には、建物ユニット（住宅ユニット）を輸送車両の荷台に積載して輸送する際に、荷台と建物ユニットとの間に介在させる治具が開示されている。この治具は、まず、建物ユニットを構成する柱の下面にボルトにより取付けられる。次に、柱の下面に取付けられた治具を荷台に形成されている嵌合穴に嵌合させるように、建物ユニットが荷台に載置される。そして、荷台の下からボルトにより治具が固定されて、建物ユニットの積載が完了する。
【先行技術文献】
【特許文献】
【０００３】
【特許文献１】実開平５−２４６２９
【発明の概要】
【発明が解決しようとする課題】
【０００４】
ところで、一般に建物ユニットのユニットサイズは幾つかのサイズに決められているが、最近の需要者ニーズを反映して外壁一枚分だけでもユニットサイズを拡張した建物ユニットを用いることが検討されている。この場合、建物ユニットの柱の位置や間隔が従来と異なるため、輸送車両の荷台への積載構造が煩雑化する。
【０００５】
このような場合、上記の治具を使用した輸送では、その変更後の柱の位置に対応した位置に嵌合穴が形成されている荷台を新たに製造する必要がある。また、予めそれぞれの建物ユニットに応じた荷台の輸送車両を用意していたとしても、輸送車両の稼働率の変動により、迅速に対応できない場面が想定される。
【０００６】
本発明は、上記事実を考慮し、柱の位置や間隔が異なる建物ユニットを輸送する場合に、荷台を変更することなく、建物ユニットを輸送車両に積載し輸送できる建物ユニット輸送用治具及び建物ユニット輸送時の連結構造を得ることが目的である。
【課題を解決するための手段】
【０００７】
第１の態様に係る建物ユニット輸送用治具は、建物ユニットの柱の下面と接触する一方の面と、荷台の上面と接触する他方の面と、前記一方の面と前記柱の下面とが接触する際、前記一方の面と前記柱の下面との面方向の相対位置を決定し固定する第１固定部と、前記他方の面と前記荷台の上面とが接触する際、前記荷台に予め形成されている嵌合孔の面方向の位置と前記第１固定部が決定する前記柱の下面に予め形成されている孔の面方向の位置とが異なる位置になるように、前記他方の面と前記荷台の上面との面方向の相対位置を決定し固定する第２固定部と、を備えている。
【０００８】
この建物ユニット輸送用治具は、建物ユニットの柱の下面と接触する一方の面と、荷台の上面と接触する他方の面と、を備えている。そのため、輸送車両の荷台に建物ユニットを積載して輸送する際、建物ユニット輸送用治具の一方の面と他方の面とを介して、荷台に柱が載置される。また、この建物ユニット輸送用治具は、第１固定部を備えている。第１固定部は、一方の面と柱の下面とが接触する際、一方の面と柱の下面との面方向の相対位置を決定し固定する。そのため、荷台に建物ユニットを積載して輸送する際、建物ユニット輸送用治具の一方の面と柱の下面とは、面方向で決まった相対位置に固定される。また、この建物ユニット輸送用治具は、第２固定部を備えている。第２固定部は、他方の面と荷台の上面とが接触する際、他方の面と荷台の上面との面方向の相対位置を決定し固定する。そのため、荷台に建物ユニットを積載して輸送する際、建物ユニット輸送用治具の他方の面と荷台の上面とは、面方向で決まった相対位置に固定される。
【０００９】
したがって、この建物ユニット輸送用治具による輸送では、建物ユニット輸送用治具の一方の面と柱の下面との相対位置と、建物ユニット輸送用治具の他方の面と荷台の上面との相対位置とが、共に、面方向で固定される。すなわち、建物ユニット輸送用治具の一方の面及び他方の面を介して、荷台の上面と柱の下面との相対位置が面方向で固定される。
【００１０】
ここで、この建物ユニット輸送用治具では、他方の面と荷台の上面との面方向の相対位置は、荷台に予め形成されている嵌合孔の面方向の位置と第１固定部が決定する柱の下面に予め形成されている孔の面方向の位置とが異なる位置になるように固定される。そのため、荷台に建物ユニットを積載して輸送する際、荷台に予め形成されている嵌合孔と柱の下面に予め形成されている孔とは、面方向での位置が異なっている。
【００１１】
したがって、この建物ユニット輸送用治具によれば、荷台に予め形成されている嵌合孔と柱の下面に予め形成されている孔との位置がずれていても、荷台に建物ユニットの柱を載置した状態で面方向（水平方向）の位置を固定できる。すなわち、柱の位置に対応した嵌合孔が形成されている荷台を用意することなく、建物ユニットを荷台に積載し輸送できる。
【００１２】
第２の態様に係る建物ユニット輸送用治具は、第１の態様において、前記第１固定部は、前記一方の面から前記他方の面まで貫通し、前記柱の下面に予め設けられた孔に取付用ボルトが共締めされるボルト挿通孔であり、前記ボルト挿通孔の前記他方の面側は、前記取付用ボルトの頭が収まる大きさに拡径されており、前記第２固定部は、前記他方の面から開口され、トラック積載用ボルトが螺合されるボルト取付け孔である。
【００１３】
この態様では、第１固定部は、一方の面から他方の面まで貫通するボルト挿通孔であり、柱の下面に予め設けられた孔に取付用ボルトが共締めされる。そのため、柱の下面に予め設けられた孔とボルト挿通孔とが位置合わせされた状態で、柱の下面と一方の面とを接触させ、取付用ボルトが他方の面側から挿入されて共締めされることにより、一方の面と柱の下面との面方向の相対位置が決定されて固定される。
【００１４】
また、ボルト挿通孔の他方の面側は、ボルトの頭が収まる大きさに拡径されているので、この拡径された部分にボルトの頭が収まり、他方の面から取付用ボルトの頭部が突出しない。そのため、他方の面と荷台の上面との接触を、取付用ボルトの頭部が阻害しない。
【００１５】
これにより、建物ユニットを吊り上げた状態で、柱の下面に建物ユニット輸送用治具を取付用ボルトにより取付けることができる。すなわち、建物ユニットを積載する手順に関して、柱に対する建物ユニット輸送用治具の取付を、荷台に対する建物ユニット輸送用治具の取付よりも先に行うことができる。
【００１６】
また、第２固定部は、他方の面から開口されたボルト取付け孔であり、トラック積載用ボルトが螺合される。そのため、荷台に予め形成された嵌合孔に、トラック積載用ボルトを嵌合させることにより、他方の面と荷台の上面との相対位置の固定が容易になる。これにより、柱に建物ユニット輸送用治具及びトラック積載用ボルトを取り付けた後、建物ユニットを荷台に積載する作業が容易になる。
【００１７】
第３の態様に係る建物ユニット輸送用治具は、第２の態様において、前記ボルト挿通孔の前記一方の面側も、前記取付用ボルトの頭が収まる大きさに拡径されており、前記ボルト取付け孔は、前記一方の面まで貫通している。
【００１８】
この態様では、ボルト挿通孔は、一方の面側及び他方の面側の両側が、取付用ボルトの頭が収まる大きさに拡径されている。そのため、取付用ボルトを一方の面側及び他方の面側のいずれの側から挿入しても、ボルトの頭部はその拡径された部分に収まる。また、ボルト取付け孔は、他方の面から一方の面まで貫通する孔であるので、トラック積載用ボルトをいずれの面側からも螺合できる。これにより、建物ユニット輸送用治具は両面使用が可能になる。
【００１９】
第４の態様に係る建物ユニット輸送用治具は、第１の態様において、前記第１固定部は、前記一方の面から立設し、前記柱に予め形成されている孔に挿入される位置決めピンであり、前記第２固定部は、前記他方の面から開口され、トラック積載用ボルトが螺合されるボルト取付け孔である。
【００２０】
この態様では、建物ユニット輸送用治具の一方の面と柱の下面との面方向の相対位置の決定及び固定は、一方の面から立設した位置決めピンを柱に予め設けられた孔に挿入することで行われる。そのため、建物ユニットを積載する手順に関して、荷台に対して建物ユニット輸送用治具を取り付けた後に、建物ユニットを積載することができる。これにより、建物ユニットを吊り上げた状態で、柱の下面に建物ユニット輸送用治具を取付用ボルトにより取付けるという作業を省略できる。
【００２１】
第５の態様に係る建物ユニット輸送用治具は、第１の態様〜第４の態様において、前記第２固定部が、複数存在している。
【００２２】
この態様では、他方の面と荷台の上面とが接触する際、互いの相対位置を決定し固定する第２固定部を、複数の第２固定部の中から選択することができる。そのため、間接的に、荷台の嵌合孔と柱との面方向の相対位置を選択することができる。これにより、柱の位置や間隔の異なる複数種類の建物ユニットを輸送することができる。
【００２３】
第６の態様に係る建物ユニット輸送用治具は、第５の態様において、前記複数の第２固定部が、荷台に載置される際の車幅方向に沿って配置されている。
【００２４】
この態様では、複数の第２固定部を使い分けることで、柱を固定する位置が車幅方向で変化する。これにより、輸送の際に車幅方向に載置される柱の間隔、すなわち妻方向の柱の間隔が異なる複数種類の建物ユニットの輸送することができる。
【００２５】
第７の態様に係る建物ユニット輸送用治具は、第１の態様〜第６の態様において、前記一方の面及び前記他方の面に平行な複数の層で構成されており、そのうち少なくとも１つの層が、弾性材料で形成されている。
【００２６】
この態様では、建物ユニット輸送用治具の他方の面に荷台から入力された振動が、建物ユニット輸送用治具の弾性材料により構成されている層により減衰されて、一方の面から建物ユニットに伝達される。これにより、建物ユニット輸送時に建物ユニットへ伝わる振動を軽減できる。
【００２７】
第８の態様に係る建物ユニット輸送時の連結構造は、第２の態様又は第３の態様の建物ユニット輸送用治具が備えている前記ボルト挿通孔と前記柱の下面に予め形成されている孔とが前記取付用ボルトにより共締されることで、前記柱の下面と前記一方の面とが連結され、前記ボルト取付け孔に前記トラック積載用ボルトが螺合されることで、前記建物ユニット輸送用治具に前記トラック積載用ボルトが取り付けられ、前記取り付けられたトラック積載用ボルトが前記荷台に予め形成された嵌合孔に嵌合させられることで、前記他方の面と前記荷台の上面とが連結されている。
【００２８】
第９の態様に係る建物ユニット輸送時の連結構造は、第４の態様の建物ユニット輸送用治具が備えている前記ボルト取付け孔に前記トラック積載用ボルトが螺合されることで、前記建物ユニット輸送用治具に前記トラック積載用ボルトが取り付けられ、前記取り付けられたトラック積載用ボルトが前記荷台に予め形成された嵌合孔に嵌合させられることで、前記他方の面と前記荷台の上面とが連結され、前記位置決めピンが前記柱の下面に予め形成されている孔に挿入されることで、前記柱の下面と前記一方の面とが連結されている。
【００２９】
これらの建物ユニット輸送時の連結構造では、荷台に形成されている嵌合孔と柱とが平面視で異なる位置にある状態で、建物ユニットが荷台に載置固定されている。これにより、建物ユニットの柱の位置と荷台の嵌合孔との位置がずれていても、建物ユニットを荷台に積載し輸送することができる。
【発明の効果】
【００３０】
以上説明したとおり、本発明は、柱の位置や間隔が異なる建物ユニットを輸送する場合に、荷台を変更することなく、建物ユニットを輸送車両に積載し輸送できるという優れた効果を有する。
【図面の簡単な説明】
【００３１】
【図１】第１実施形態に係る建物ユニット輸送時の連結構造を示す分解斜視図である。
【図２】図１において、連結された状態を示す一部断面図である。
【図３】第１実施形態に係る建物ユニット輸送用治具に取付用ボルトが挿入された状態を示す図であり、（Ａ）は平面図、（Ｂ）は底面図である。
【図４】図３において、さらに輸送車両積載用治具が取り付けられた状態を示す断面図であり、（Ａ）〜（Ｃ）は、取付けの３パターンを示す断面図である。
【図５】第１実施形態に係る建物ユニット輸送時の連結構造を輸送車両の荷台の後方から視た模式図であり、（Ａ）は柱の両外側に外壁パネルが取り付けられた状態での適用例を示す縦断面図であり、（Ｂ）は片側の外壁パネルが取り外された状態での適用例を示す縦断面図である。
【図６】第２実施形態に係る建物ユニット輸送治具を示す斜視図である。
【図７】第２実施形態に係る建物ユニット輸送時の連結構造を示す一部断面図である。
【発明を実施するための形態】
【００３２】
〔第１実施形態〕
以下、図１〜図５を用いて、本発明に係る建物ユニット輸送用治具及び建物ユニット輸送時の連結構造の第１実施形態について説明する。
【００３３】
（建物ユニット）
図５（Ａ）に示されるように、建物ユニット１０は、箱型に形成された躯体フレーム１２とその躯体フレーム１２の外側に取付けられた外壁パネル１４とを備えた構成とされている。躯体フレーム１２は、四隅に立設された柱１６（図に示すのはそのうちの２本）と、柱１６の上端部同士を連結する天井大梁（図示省略）と、柱１６の下端部同士を連結する床大梁１８と、によって構成されている。なお、図には表れていないが、柱１６は、一例として、下部の床仕口と上部の天井仕口とそれらを上下に連結する柱本体とにより構成されている。
【００３４】
また、図１に示されるように、柱１６の底部には、方形のプレート状に形成されたベースプレート２０が溶接により取り付けられている。このベースプレート２０の下面２０Ｂが、本発明の「柱の下面」に相当する。ベースプレート２０の中央には、内周面に雄ねじが形成された貫通孔である基準孔２２が形成されている。
【００３５】
ところで、建物内部の室内空間を広げるため、建物ユニット１０を構成する柱１６の間隔を広くしたいというニーズがある。他方、建物ユニット１０は工場で製造され輸送車両（トラック）で建築地に輸送されるため、建物ユニット１０のサイズは、道路法や道路交通法の制限を受ける。そのため、多くの場合、図５（Ａ）に示されるように、柱１６の両外側（躯体フレーム１２の桁側の二側面）に外壁パネル１４がそれぞれ取り付けられた状態で、建物ユニット１０の妻方向の幅が道路交通法等の幅制限と略同一となるように妻方向の柱１６の間隔が設定されている。
【００３６】
一方、図５（Ｂ）に示すように、柱１６の外側に取り付けられた外壁パネル１４のうち、片側の外壁パネル１４が取り外された状態で輸送することも考えられる。この場合には、取り外された外壁パネル１４の厚さの分だけユニットサイズに余裕が生まれるので、この建物ユニット１００では、妻方向の柱１６の間隔が上述した建物ユニット１０よりも広く設定されている。
【００３７】
（荷台）
図１に示されるように、輸送車両の荷台３０の上面３０Ａは、略平坦に形成されている。荷台３０の上面３０Ａ側には、略円錐台を逆さにした形状の空間を有する嵌合孔３２が設けられている。さらに、嵌合孔３２の底部には、固定用ボルト３４が挿通する固定用孔３６が設けられており、この固定用孔３６は、荷台３０の下面まで貫通している。
【００３８】
（トラック積載用ボルト）
図１及び図２に示されるように、トラック積載用ボルト４０は、略円錐台形状を逆さにした形状の嵌合部４０Ａと、嵌合部４０Ａの上面から立設されたネジ部４０Ｂと、を備えている。嵌合部４０Ａは、荷台３０の嵌合孔３２に嵌合されている。ネジ部４０Ｂは、後述する建物ユニット輸送用治具５０のボルト取付け孔５４に螺合するように外周面に雄ねじが形成されている。そして、トラック積載用ボルト４０は全体として、嵌合部４０Ａが嵌合孔３２に嵌合された状態で、嵌合部４０Ａが荷台３０の上面３０Ａから突出せずネジ部４０Ｂのみが鉛直方向に突出するように、形成されている。一方、嵌合部４０Ａの下面側には、連通孔４２が形成されている。この連通孔４２の内周面には雌ねじが形成されおり、嵌合部４０Ａが嵌合孔３２に嵌合した状態で、固定用孔３６と連通するようになっている。
【００３９】
（建物ユニット輸送用治具）
【００４０】
建物ユニット輸送用治具５０は、建物ユニット１０を荷台３０に積載する際、荷台３０と建物ユニット１０との間に介在させる治具である。換言すると、荷台３０に建物ユニット輸送用治具５０が載置され、さらに、建物ユニット輸送用治具５０にベースプレート２０が載置される。以下、この建物ユニット輸送用治具５０について詳細に説明する。
【００４１】
図１に示されているのは、建物ユニット輸送用治具５０の概略的な構造である。図１に示されるように、建物ユニット輸送用治具５０は、方形のプレート状に形成されており、治具上面５０Ａと、治具下面５０Ｂと、ボルト挿通孔５２と、ボルト取付け孔５４と、を備えている。治具上面５０Ａは、建物ユニット輸送用治具５０の上面に位置する平坦な面であり、建物ユニット輸送用治具５０にベースプレート２０が載置された状態でベースプレート２０の下面２０Ｂが当接（接触）する面である。この治具上面５０Ａが、本発明の「一方の面」に相当する。治具下面５０Ｂは、治具上面５０Ａの裏側に位置する平坦な面であり、建物ユニット輸送用治具５０が荷台３０に載置された状態で荷台の上面と当接（接触）する面である。この治具下面５０Ｂが、本発明の「他方の面」に相当する。ボルト挿通孔５２は、治具上面５０Ａから治具下面５０Ｂまで貫通している貫通孔であり、治具下面５０Ｂの側から（図の下方から）取付用ボルト５６を挿通可能に形成されている。また、このボルト挿通孔５２は、治具下面５０Ｂの側に、取付用ボルト５６の頭部５６Ａが収まる拡径部５２Ｒを有している。このボルト挿通孔５２が、本発明の「第１固定部」に相当する。ボルト取付け孔５４は、治具下面５０Ｂから治具上面５０Ａまで貫通している貫通孔であり、その内周面に雌ねじが形成されて、トラック積載用ボルト４０のネジ部４０Ｂを螺合可能とされている。このボルト取付け孔５４が、本発明の「第２固定部」に相当する。
【００４２】
図２には、建物ユニット輸送用治具５０の詳細な断面構造が示されている。この図に示されるように、建物ユニット輸送用治具５０は、第１制振部５８、本体部６０及び第２制振部６２という３つの層により構成されている。本体部６０は、金属で形成されており、他方、第１制振部５８及び第２制振部６２は、ゴムなどの弾性材料で形成されている。３つの層は、接着剤などにより強固に接着されて一体となっている。
【００４３】
前述したボルト挿通孔５２は、具体的には、第１制振部５８の挿通孔５２ａと、本体部６０の挿通孔５２ｂと、第２制振部６２の頭部挿通孔５２ｃと、が連通した貫通孔として形成されている。
【００４４】
第１制振部５８の挿通孔５２ａは、第１制振部５８の中心に形成された貫通孔であり、取付用ボルト５６のネジ部５６Ｂが通過可能にネジ部５６Ｂより若干拡径に形成されている。本体部６０の挿通孔５２ｂは、本体部６０の中心に形成された貫通孔であり、取付用ボルト５６のネジ部５６Ｂと略同径に形成されて、ネジ部が通過可能とされている。なお、本体部６０の挿通孔５２ｂの内周面には、取付用ボルト５６が螺合する雌ねじが形成されていてもよい。そして、第２制振部６２の頭部挿通孔５２ｃは、第２制振部６２の中心に形成された貫通孔であり、第１制振部５８の挿通孔５２ａよりも拡径に形成されて、取付用ボルト５６の頭部５６Ａを挿入可能とされている。また、第２制振部６２の厚みは、取付用ボルト５６の頭部５６Ａが第２制振部６２の頭部挿通孔５２ｃに完全に収まるように、取付用ボルト５６の頭部５６Ａの厚みと同一かそれよりも厚く形成されている。この頭部挿通孔５２ｃが前述したボルト挿通孔５２の拡径部５２Ｒを形成している。
【００４５】
また、前述したボルト取付け孔５４は、具体的には、第１制振部５８の取付け孔５４ａと、本体部６０の取付け孔５４ｂと、第２制振部６２の取付け孔５４ｃと、が連通した貫通孔として形成されている。
【００４６】
本体部６０の取付け孔５４ｂは、内周面に雌ねじが形成された貫通孔であり、トラック積載用ボルト４０のネジ部４０Ｂが螺合可能とされている。第１制振部５８の取付け孔５４ａ及び第２制振部６２の取付け孔５４ｃは、トラック積載用ボルト４０のネジ部４０Ｂの径より若干拡径に形成された貫通孔であり、トラック積載用ボルト４０のネジ部４０Ｂを通過可能とされている。
【００４７】
図３（Ａ）・（Ｂ）は、建物ユニット輸送用治具５０に取付用ボルト５６が挿入された状態を示している。これらの図に示されるように、建物ユニット輸送用治具５０には、ボルト挿通孔５２とは平面視で異なる位置に、各々貫通孔であるボルト取付け孔５４が複数個（本実施形態では３個）形成されている。この３個のボルト挿通孔５２は、一方向に沿って並んで形成されている。建物ユニット輸送用治具５０を使用する際には、これらのボルト挿通孔５２の軸心を結んだ方向が輸送車両の車幅方向となるように建物ユニット輸送用治具５０がセットされる。
【００４８】
（本実施形態の作用・効果）
次に、建物ユニット１０の荷台３０への積載（連結）手順の説明を通して、本実施形態の作用並びに効果を説明する。
【００４９】
積載手順としては、まず、建物ユニット１０がクレーンで吊り上げられて、取付用ボルト５６により、ベースプレート２０の下面２０Ｂに建物ユニット輸送用治具５０が取付けられる。具体的には、ボルト挿通孔５２と基準孔２２とを位置合わせするように、治具上面５０Ａとベースプレート２０の下面２０Ｂとを対向させ、取付用ボルト５６を建物ユニット輸送用治具５０の治具下面５０Ｂの側から挿入して、建物ユニット輸送用治具５０をベースプレート２０に共締めする。
【００５０】
以上のように、ボルト挿通孔５２は、ベースプレート２０の基準孔２２と位置合わせされた状態で取付用ボルト５６が挿入されることで、治具上面５０Ａとベースプレート２０の下面２０Ｂとの面方向の相対位置を決定し固定する。
【００５１】
次に、建物ユニット輸送用治具５０にトラック積載用ボルト４０が取り付けられる。具体的には、トラック積載用ボルト４０のネジ部４０Ｂが、建物ユニット輸送用治具５０のボルト取付け孔５４に治具下面５０Ｂの側から挿入され、本体部６０の取付け孔５４ｂに螺合する。なお、この作業は、前述した取付用ボルト５６による取付作業と順序を逆にしてもよい。
【００５２】
続いて、建物ユニット１０が荷台３０に積載される。具体的には、建物ユニット輸送用治具５０及びトラック積載用ボルト４０が取り付けられた状態の建物ユニット１０が、トラック積載用ボルト４０の嵌合部４０Ａが荷台３０の嵌合孔３２に嵌合するように、荷台３０に載置される。さらに、トラック積載用ボルト４０の連通孔４２と荷台３０の固定用孔３６とが連通して形成された孔に荷台の下方から固定用ボルト３４が螺合され、トラック積載用ボルト４０及び建物ユニット輸送用治具５０を介して、荷台３０に建物ユニット１０が固定される。
【００５３】
以上のように、ボルト取付け孔５４は、荷台３０に形成された嵌合孔３２に嵌合する嵌合部４０Ａを有するトラック積載用ボルト４０のネジ部４０Ｂが螺合されることで、治具下面５０Ｂと荷台３０の上面３０Ａとの面方向の相対位置を決定し固定する。
【００５４】
以上説明した積載手順により、建物ユニット１０が輸送車両の荷台３０に連結され、建物ユニット１０の積載が完了する。そして、建物ユニット１０は、この状態で工場から建築地へ輸送される。建築地では、ベースプレート２０から建物ユニット輸送用治具５０が取り外され、ベースプレート２０の基準孔２２を利用して建築地に据え付けられる。
【００５５】
ここで、本実施形態の建物ユニット輸送用治具５０では、ボルト取付け孔５４が、ボルト挿通孔５２とは平面視で異なる位置に形成されている。そのため、図２に示されるように、ベースプレート２０の基準孔２２と荷台３０の嵌合孔３２との位置が水平方向でずれている状態で、輸送車両の荷台３０に建物ユニット１０を積載できる。
【００５６】
また、本実施形態では、第２制振部６２の頭部挿通孔５２ｃは、取付用ボルト５６の頭部５６Ａを挿入可能とされている。また、第２制振部６２の厚みは、取付用ボルト５６の頭部５６Ａが第２制振部６２の頭部挿通孔５２ｃに完全に収まるように、取付用ボルト５６の頭部５６Ａの厚みと同一かそれよりも厚く形成されている。そのため、取付用ボルト５６をボルト挿通孔５２に挿入した際、取付用ボルト５６の頭部５６Ａは、第２制振部６２の頭部挿通孔５２ｃに完全に収まる。その結果、取付用ボルト５６が挿入された状態の建物ユニット輸送用治具５０が荷台３０に載置されるときに、取付用ボルト５６の頭部５６Ａが荷台３０に接触しない。
【００５７】
さらに、本実施形態では、トラック積載用ボルト４０の嵌合部４０Ａの形状は、略円錐台形状を逆さにした形状になっている。そのため、建物ユニット１０を荷台３０に積載する際の位置合わせが容易である。
【００５８】
また、本実施形態では、建物ユニット輸送用治具５０の第１制振部５８及び第２制振部６２は、ゴムなどの弾性材料で形成されている。そのため、建物ユニット１０の輸送中に荷台３０が振動して建物ユニット輸送用治具５０の治具下面５０Ｂに入力された振動は、第１制振部５８及び第２制振部６２により減衰されて、治具上面５０Ａから建物ユニット１０に伝達される。その結果、輸送中に建物ユニット１０へ伝わる振動を軽減できる。
【００５９】
さらに、本実施形態では、建物ユニット輸送用治具５０は、３つのボルト取付け孔５４を備えている。そのため、図４に示されるように、トラック積載用ボルト４０を取り付けるボルト取付け孔５４を選択することにより、取付用ボルト５６とトラック積載用ボルト４０との位置関係が異なる３パターンを選択できる。さらに、ボルト取付け孔５４は、一方向に沿って配置されている。そのため、この方向と輸送車両の車幅方向を一致させるように載置して使用することで、車幅方向に対応する柱１６の間隔（通常は、妻方向の間隔）が異なる複数の建物ユニット１０の輸送について使用可能である。
【００６０】
より具体的に説明すると、図５（Ａ）においては、左の建物ユニット輸送用治具５０は図４（Ｃ）のパターンで使用され、右の建物ユニット輸送用治具５０は図４（Ａ）のパターンで使用されている。これに対し、図５（Ｂ）においては、図５（Ａ）と同じ荷台を用いたまま、左の建物ユニット輸送用治具５０が図４（Ａ）のパターンに変更使用されていることで、図５（Ａ）の建物ユニット１０よりも妻方向の柱１６の間隔が広い建物ユニット１００が積載されている。このように、本実施形態の建物ユニット輸送用治具５０によれば、荷台３０を変更することなく、柱１６の間隔が異なる建物ユニット１０、１００を輸送することができる。これにより、新たな荷台３０を製造するコストを削減することができ、また、荷台３０を用意する時間を削減できて迅速な対応が可能となる。
【００６１】
〔第２実施形態〕
次に、図６及び図７を用いて、本発明に係る建物ユニット輸送用治具及び建物ユニット輸送時の連結構造の第２実施形態について説明する。なお、前述した第１実施形態と同一構成部分については、同一番号を付してその説明を省略する。
【００６２】
図６には、第２実施形態の建物ユニット輸送用治具７０の概略的な構造が示されている。この図に示されるように、第２実施形態に係る建物ユニット輸送用治具７０は、第１固定部として、治具上面５０Ａの中央に立設された位置決めピン７２を備えている。なお、位置決めピン７２の上端部は、円錐台形状に形成されている。
【００６３】
図７には、建物ユニット輸送用治具７０の詳細な断面構造が示されている。この図に示されるように、建物ユニット輸送用治具７０は、弾性材料により形成された制振部７４と、金属により形成された本体部６０と、により２層構造とされている。
【００６４】
（作用・効果）
第２実施形態における積載手順を説明すると、まず、ボルト取付け孔５４を使用して建物ユニット輸送用治具５０にトラック積載用ボルト４０が取り付けられる。次に、トラック積載用ボルト４０の嵌合部４０Ａを荷台３０に形成された嵌合孔３２に嵌合させて、さらに、荷台３０の下方から固定用ボルト３４により、建物ユニット輸送用治具７０が荷台３０に固定される。
【００６５】
この状態、すなわち、荷台３０に建物ユニット輸送用治具７０が載置された状態で、ベースプレート２０に設けられた基準孔２２に、建物ユニット輸送用治具７０の位置決めピン７２が挿入されるように位置合わせをして、建物ユニット１０が荷台３０に積載される。
【００６６】
以上のように、位置決めピン７２は、ベースプレート２０の基準孔２２に挿入されることで、治具上面５０Ａとベースプレート２０の下面２０Ｂとの面方向の相対位置を決定し固定する。
【００６７】
このように、第２実施形態では、積載手順に関して、建物ユニット１０をクレーンなどで吊り上げた状態にしたまま、ベースプレート２０の下面２０Ｂに建物ユニット輸送用治具５０を取り付けるという工程を省略できる。
【００６８】
また、位置決めピン７２は、上端部が円錐台形状に形成されているので、位置決めピン７２を利用して、ベースプレート２０の位置合わせが容易である。また、第２実施形態では、積載の際に取付用ボルト５６を使用しないため、第１実施形態のような頭部挿通孔５２ｃ（ボルト挿通孔５２の拡径部５２Ｒ）を設ける必要がない。そのため、建物ユニット輸送用治具７０は、制振部７４と本体部６０という２層構造となっている。
【００６９】
〔上記実施形態の補足説明〕
上述した各実施形態では、第１固定部として、ボルト挿通孔５２や位置決めピン７２を説明したが、本発明はこれに限定されない。例えば、治具下面まで貫通していない孔でもよいし、また、孔の形状は円筒形状でなくてもよい。
【００７０】
また、第２固定部として、ボルト取付け孔５４を説明したが、本発明はこれに限定されない。例えば、孔の形状は円筒形状でなくてもよい。
【００７１】
さらに、ボルト取付け孔５４が貫通孔である例を説明したが、本発明はこれに限定されない。例えば、ボルト取付け孔５４は、治具下面５０Ｂから開口されてトラック積載用ボルト４０のネジ部４０Ｂを螺合できればよく、治具上面５０Ａまで貫通していなくてもよい。
【００７２】
また、第１実施形態では、第１制振部５８の挿通孔５２ａが、取付用ボルト５６のネジ部４０Ｂより若干拡径に形成されている態様を説明したが、変形例として、挿通孔５２ａが第２制振部６２の頭部挿通孔５２ｃと同じ径に形成されていてもよい。この場合、建物ユニット輸送用治具５０の治具上面５０Ａの側からも取付用ボルト５６を挿入することが可能になる。また、ボルト取付け孔５４は、そもそも貫通孔であるため、トラック積載用ボルト４０を治具下面５０Ｂの側からだけでなく、治具上面５０Ａの側からも取付けることができる。そのため、この変形例の建物ユニット輸送用治具は、両面使用が可能になる。
【００７３】
さらに、ボルト取付け孔５４が３つ形成されているものを説明したが、本発明の適用はこれに限られず、１つのみ形成されていてもよいし、２つや４つ以上形成されていてもよい。１つのみの場合には、柱の位置や間隔が異なる建物ユニットを輸送する場合に、その建物ユニット輸送用治具のみでは対応できないが、別の位置にボルト取付け孔が形成された建物ユニット輸送用治具を製造することで対応することができる。したがって、荷台を新たに製造する場合よりもコストを抑えることができる。
【００７４】
また、建物ユニット輸送用治具５０、７０が材質の異なる複数層で構成されているものを説明したが、本発明の適用はこれに限られず、単一材料により構成されていてもよい。
【００７５】
さらに、建物ユニット輸送用治具５０、７０の大きさ・形状は、ベースプレート２０の形と略同一の大きさ・形状のものを説明したが、本発明の適用はこれに限られず、ベースプレート２０を載置可能な範囲で適宜変更可能である。
【００７６】
また、基準孔２２の内周面に雌ねじが形成されているものを説明したが、ベースプレート２０の上面にナットが溶接してあってもよい。
【符号の説明】
【００７７】
１０   建物ユニット
１６   柱
２０   ベースプレート
２０Ｂ 下面（柱の下面）
２２   基準孔（柱の下面に予め形成されている孔）
３０   荷台
３０Ａ 上面（荷台の上面）
３２   嵌合孔
４０   トラック積載用ボルト
５０   建物ユニット輸送用治具
５０Ａ 治具上面（一方の面）
５０Ｂ 治具下面（他方の面）
５２   ボルト挿通孔（第１固定部）
５２Ｒ 拡径部
５４   ボルト取付け孔（第２固定部）
５６   取付用ボルト
５６Ａ 頭部
５６Ｂ ネジ部
５８   第１制振部
６０   本体部
６２   第２制振部
７０   建物ユニット輸送用治具
７２   位置決めピン
７４   制振部
【図１】
0006404032.tif 000002
【図２】
0006404032.tif 000003
【図３】
0006404032.tif 000004
【図４】
0006404032.tif 000005
【図５】
0006404032.tif 000006
【図６】
0006404032.tif 000007
【図７】
0006404032.tif 000008